【手続補正書】
【提出日】平成25年4月10日(2013.4.10)
【手続補正１】
【補正対象書類名】特許請求の範囲
【補正対象項目名】全文
【補正方法】変更
【補正の内容】
【特許請求の範囲】
【請求項１】
筆記用先端部を有する既製の筆記用具を保持するための格納式のアダプタであって、
前記アダプタは、
遠位端と近位端を有するアダプタ本体と、
少なくとも部分的に前記筆記用具を包囲する前記アダプタ本体内の管腔と、
前記筆記用具の筆記用先端部を通すことを許容する前記アダプタ本体の遠位端の開口部と、
前記筆記用具と接触するように前記アダプタ本体の管腔内に設けられたホルダと、
前記筆記用具と係合接触するように前記ホルダの内側に設けられた接触面と、
前記遠位端に向けての前記ホルダの動きが、前記筆記用先端部を、前記開口部を通して突き出させて筆記のため前記アダプタ本体から露出させ、かつ、前記近位端に向けての前記ホルダの動きが、前記筆記用先端部を、前記開口部を通して引き込み前記アダプタ本体内に隠して保護するよう、前記アダプタ本体内で所定の縦方向の距離内で、選択的に前記ホルダを動かす格納メカニズムとを含み、
前記既製の筆記用具は、インクを保持するインク充填材と、少なくとも６ｍｍの外径を有する外側管状体とを有するペンであり、前記インク充填材を包囲する、
筆記用先端部を有する既製の筆記用具を保持するための格納式のアダプタ。
【請求項２】
前記ペンの前記外側管状体と摩擦係合する、前記ホルダの前記接触面に設けられた弾性材料をさらに含み、
前記弾性材料は、フォーム、ゴム及びプラスチックからなる群から選択される少なくとも１つである、請求項１に記載の既製の筆記用具を保持するための格納式のアダプタ。
【請求項３】
前記格納メカニズムがさらに、
前記ホルダの外壁と前記アダプタ本体の内壁の間に設けられた圧縮コイルばねと、
前記ホルダの外壁上に設置固定され、第１の契合歯セットを備えるストッパと、
前記ホルダの外壁の周囲かつ前記第１と前記第２のストッパの間に設けられ、前記ホルダ周囲の回転運動の範囲と前記ホルダの長さ方向に沿った縦方向運動の範囲を有するシリンダ部とを含み、
前記シリンダ部は、第１の契合歯セットと係合接触する第２の契合歯セットを有する、請求項１に記載の既製の筆記用具を保持するための格納式のアダプタ。
【請求項４】
前記格納メカニズムがさらに、
前記アダプタ本体の内壁上に設けられ、リブ、キー溝及び傾斜ポストを有する、溝−リブ組立体と、
前記溝−リブ組立体と係合接触する、前記ストッパ上に設けられた突起セットと、
前記溝−リブ組立体と係合接触する、前記シリンダ部上に設けられたロックキーセットと、を含む請求項３に記載の既製の筆記用具を保持するための格納式のアダプタ。
【請求項５】
前記アダプタ本体がさらに、
前記アダプタ本体の主本体部に分離可能に結合する分離可能な円錐状先端部を含み、
前記アダプタ本体の遠位端部に設けられた前記開口部は、前記円錐状先端部の狭い端部に設けられ、かつ、
前記第１の圧縮コイルばねの端部は、前記円錐状先端部の内部と当接接触する、請求項４に記載の既製の筆記用具を保持するための格納式のアダプタ。
【請求項６】
前記アダプタ本体が１３．０ｃｍ以下の長さであり、前記管腔が前記ペンを包囲した際、前記筆記用先端部の反対側の前記ペンの近位端が露出して前記管腔内に包囲されず、かつ、それが前記ホルダによって保持されるとき、遠位の方向に向けて前記ペンの前記近位端を押すことで、前記アダプタ本体の前記開口部から、前記ペンの筆記用先端部を突き出すこと、又は引き込むことが生ずる、請求項５に記載の既製の筆記用具を保持するための格納式のアダプタ。
【請求項７】
前記アダプタ本体の遠位端の近くで前記管腔内に設けられた圧縮コイルばねをさらに含み、ペンを少なくとも部分的にアダプタ本体に入れたとき、前記ばねの近位端は、前記ペンの周囲を固定し、前記ペンを前記アダプタ本体の近位端に向けて偏位させ、
前記ペンが前記アダプタ本体の前記管腔内に少なくとも部分的に包囲されるとき、前記ホルダは前記ペンの近位端と当接接触する、請求項１に記載の既製の筆記用具を保持するための格納式のアダプタ。
【請求項８】
前記格納メカニズムがさらに、
前記アダプタ本体の近位端を介して部分的に突き出しているプッシュキャップと、
突起と第１の契合歯セットとを有する、前記プッシュキャップに結合したストッパと、
ロックキーと第２の契合歯セットとを有するシリンダ部とを含み、
前記上方の契合歯は、前記下方の契合歯と係合接触する、請求項７に記載の既製の筆記用具を保持するための格納式のアダプタ。
【請求項９】
前記ペンが前記管腔内の中心に配置されることを保証するよう、前記ペンと接触する前記管腔に設けられたセンタリング装置をさらに含む、請求項８に記載の既製の筆記用具を保持するための格納式のアダプタ。
【請求項１０】
前記アダプタ本体は、第１の管状部と第２の管状部とを含み、
前記格納メカニズムはさらに、
前記ホルダの外側に設けられた、第１のセットの契合ねじ刃と、
前記アダプタ本体の第１の管状部の内部に設けられた第２のセットの契合ねじ刃とを含み、
ユーザによってなされた前記第２の管状部に対する前記第１の管状部の回転が、第２の契合ねじ刃が前記第１の契合ねじ刃上を動くことを生じさせ、かつ、前記ホルダが、前記アダプタ本体に対して、前記管腔内で縦方向に動くことを生じさせる、請求項１に記載の既製の筆記用具を保持するための格納式のアダプタ。
【請求項１１】
ペンが前記アダプタ本体に保持されるとき、前記ペンの近位端が前記管腔の外側に露出するよう、前記アダプタ本体が１３．０ｃｍ以下の長さであり、かつ、
前記格納メカ二ズムは、
前記アダプタ本体の第１の管状部の内部に設けられた螺旋トラックを含み、
前記ホルダは前記ペンと固定接触し、
ユーザによってなされた前記アダプタ本体に対する前記ペンの前記露出した近位端の回転により、前記ホルダが、前記アダプタ本体に対して前記管腔内で縦方向に動くことが生じるよう、前記螺旋トラックと協働する、前記ホルダの外側に設けられた、少なくとも１つの突起部を含む、請求項１に記載の既製の筆記用具を保持するための格納式のアダプタ。
【請求項１２】
筆記用先端部を有する既製の筆記用具を保持するための格納式のアダプタであって、
前記アダプタは、
遠位端、近位端、及び管腔を有するアダプタ本体と、
前記筆記用具の筆記用先端部を通すことを許容する前記アダプタ本体の遠位端の開口部と、
プッシュキャップと、
前記プッシュキャップが、部分的に通過すること、及び前記管腔の外側に露出されることを許容する前記アダプタ本体の近位端の開口部と、
前記筆記用具が前記管腔において組み立てられるとき、前記近位端に向けて前記筆記用具を偏らせる、前記管腔に設けられた圧縮コイルばねと、
前記ペンが前記アダプタ本体の前記管腔内に包囲されるとき、前記筆記用具と当接接触する前記管腔内のホルダと、
前記プッシュキャップに結合し、その遠位端に向かう領域に設けられた上方の契合歯と突起とを有するストッパと、
前記ストッパの管腔内に少なくとも部分的に設けられ、その遠位端に向かう領域に設けられた下方の契合歯とロックキーとを有するシリンダ部と、を含み、
前記ホルダは、前記シリンダ部の遠位端と結合し、
前記上方の契合歯は、前記下方の契合歯と係合接触し、かつ、
前記既製の筆記用具は、少なくとも６ｍｍの外径を有する外部本体を有する、請求項１に記載の既製の筆記用具を保持するための格納式のアダプタ。
【請求項１３】
前記筆記用具が、普通のペンと普通の鉛筆からなる群から選択されるうちの１つである、請求項１２に記載の既製の筆記用具を保持するための格納式のアダプタ。